(57)【要約】【課題】  球詰まりによってアウト球を計数できない事態が発生することを抑制する。【解決手段】  アウト球計数装置１は、遊技機から排出されるアウト球を受け入れる第１球受け板１３と、第１球受け板１３から溢れたアウト球を受け入れる第２球受け板１５と、第１球受け板１３或いは第２球受け板１５が受け入れたアウト球を計数する計数器４０と、第１球受け板１３が受け入れたアウト球を計数器４０へ導くための第１球通路１７と、第２球受け板１５が受け入れたアウト球を計数器４０へ導くための第２球通路１９とから構成される。このアウト球計数装置１において、第１球通路１７上で球詰まりが発生すると、遊技機から順次排出されるアウト球が第１球受け板１３上に滞留して、第１球受け板１３から溢れ出る。その後、第１球受け板１３から溢れ出たアウト球は、第２球受け板１５に受け入れられ、第２球通路１９を介して計数器４０へ導かれる。【選択図】図１
2005224305.tif 000002
【特許請求の範囲】
【請求項１】
遊技機から排出されるアウト球を計数するアウト球計数装置であって、
前記アウト球を計数する計数手段と、
前記遊技機から排出されるアウト球を受け入れる第１球容器と、前記第１球容器から溢れ出たアウト球を受け入れる第２球容器とを有するアウト球受入部と、
前記第１球容器が受け入れたアウト球を前記計数手段へ供給する第１球通路と、
前記第２球容器が受け入れたアウト球を前記計数手段へ供給する第２球通路と、
を備える、
ことを特徴とするアウト球計数装置。
【請求項２】
前記アウト球受入部は、前記第２球容器も前記遊技機から排出されるアウト球を受け入れると共に、前記第２球容器から溢れ出たアウト球を前記第１球容器が受け入れる構造を有する、
ことを特徴とする請求項１に記載のアウト球計数装置。
【請求項３】
前記アウト球受入部は、
それぞれが対向して配置された矩形状の右側板と左側板と、前記右側板の一端縁と前記左側板の一端縁とを連結した矩形状の後側板とからなるコの字状の枠体と、
前記右側板、前記左側板にそれぞれ右端縁、左端縁が固定されるとともに、前記後側板に後端縁が非接触となるように設置され、前記枠体の内側を仕切る矩形状の第１仕切板と、
前記第１仕切板の下方において、前記右側板、前記左側板、前記後側板にそれぞれ右端縁、左端縁、後端縁が固定され、前記枠体の内側を仕切る矩形状の第２仕切板と、を備え、
前記第１仕切板および前記第２仕切板は何れも、前端縁にアウト球が集まるように傾斜して配置され、
前記第１仕切板および前記第２仕切板を各々の底板とする上下に区切られた二つの容器のうち、いずれか一方を前記第１球容器、他方を前記第２球容器とし、
前記第１仕切板および前記第２仕切板のうち、前記第１球容器の底板となる仕切板の前端縁に前記第１球通路、前記第２球容器の底板となる仕切板の前端縁に前記第２球通路が設けられている、
ことを特徴とする請求項２に記載のアウト球計数装置。
【請求項４】
前記第１球通路は、少なくとも１箇所湾曲している湾曲通路部を備え、
前記湾曲通路部の外周側を形成する外周壁には、前記アウト球の通過を阻止可能な貫通孔が形成される、
ことを特徴とする請求項１〜請求項３何れかに記載のアウト球計数装置。
【請求項５】
前記計数手段は、
前記アウト球が通過する排出経路を備え、該排出経路を通過するアウト球を計数するように構成され、
前記第１球通路及び前記第２球通路は、前記排出経路の入り口部で合流する、
ことを特徴とする請求項１〜請求項４何れかに記載のアウト球計数装置。
【請求項６】
前記遊技機から排出されたアウト球が前記アウト球受入部に受け入れられた時に該アウト球が前記アウト球受入部を押圧する力により、当該アウト球計数装置が、前記遊技機が設置された遊技機島に対して揺動するように、当該アウト球計数装置を前記遊技機島に対して支持する揺動部材を備える、
ことを特徴とする請求項１〜請求項５何れかに記載のアウト球計数装置。
【請求項７】
請求項２または請求項３何れかに記載のアウト球計数装置を備える遊技機島であって、
前記遊技機から排出されたアウト球が前記第１球容器或いは前記第２球容器の何れか一方で受け入れられるように、当該アウト球計数装置が設置される、
ことを特徴とする遊技機島。
【請求項８】
遊技機から排出されるアウト球を計数する計数手段と、前記アウト球を受け入れる第１球容器と、前記第１球容器が受け入れたアウト球を前記計数手段へ供給する第１球通路とを備えるアウト球計数装置であって、
前記第１球通路は、少なくとも１箇所湾曲している湾曲通路部を備え、
前記湾曲通路部の外周側を形成する外周壁には、前記アウト球の通過を阻止可能な貫通孔が形成される、
ことを特徴とするアウト球計数装置。
【請求項９】
遊技機から排出されるアウト球を計数する計数手段と、前記アウト球を受け入れる第１球容器と、前記第１球容器が受け入れたアウト球を前記計数手段へ供給する第１球通路とを備えるアウト球計数装置であって、
前記遊技機から排出されたアウト球が前記第１球容器に受け入れられた時に該アウト球が前記第１球容器を押圧する力により、当該アウト球計数装置が、前記遊技機が設置された遊技機島に対して揺動するように、当該アウト球計数装置を前記遊技機島に対して支持する揺動部材を備える、
ことを特徴とするアウト球計数装置。
【請求項１０】
遊技機から排出されるアウト球を計数するアウト球計数装置であって、
前記アウト球を計数する計数手段と、
前記遊技機から排出されるアウト球を受け入れる第１球容器と、
前記第１球容器が受け入れたアウト球を前記計数手段へ供給する第１球通路と、
前記第１球容器から溢れ出たアウト球を受け入れ、該受け入れたアウト球を前記計数手段へ供給する第３球通路と、
を備える、
ことを特徴とするアウト球計数装置。
【発明の詳細な説明】
【技術分野】
【０００１】
本発明は、遊技機から排出されるアウト球を計数するアウト球計数装置に関する。
【背景技術】
【０００２】
パチンコ機において、遊技盤上に打ち出されたパチンコ球（アウト球）は、遊技盤上に配置された入賞口やアウト口を通過した後に、パチンコ機裏側に設けられたアウト球排出口から排出される。従来より、アウト球排出口から排出されたアウト球を受け入れ、受け入れたアウト球を計数するアウト球計数装置が、アウト球排出口の下方に設置されている。そして、アウト球計数装置の計数結果はホール管理コンピュータに送信され、遊技機の稼働状況を管理するためのデータとして利用される。
【０００３】
尚、アウト球計数装置は、主に、アウト球排出口から排出されたアウト球を受け入れる球受け板と、アウト球を計数する計数器と、球受け板で受け止めたアウト球を計数器まで導く球通路とから構成されている。即ち、球受け板がアウト球を受け入れると、このアウト球は球通路に回収されて計数器へ導かれることによって計数器で計数される。
【０００４】
しかし、アウト球には遊技者の手垢等の異物が付着しているために、アウト球がこの球受け板や球通路を通過すると、球受け板や球通路に異物が付着して徐々に堆積する。そして、この堆積した異物により、アウト球が球受け板や球通路で止まってしまい、所謂、球詰まりが発生することがある。
【０００５】
このようにして発生した球詰まりを解消することができるアウト球計数装置としては、パチンコ機から排出されるパチンコ球を受けて一時的に貯留するとともに貯留パチンコ球を球通路から順次排出する球貯留容器と、この球貯留容器に設けられ貯留パチンコ球を球通路に案内する球案内路と、球貯留容器に設けられ貯留パチンコ球を球通路の途中部に落下させる副球案内路とを備えたものが知られている（例えば、特許文献１参照。）。
【０００６】
このように構成された特許文献１に記載のアウト球計数装置によれば、パチンコ機からパチンコ球が排出されると、球貯留容器にパチンコ球が貯留される。そして、貯留パチンコ球は球案内路及び副球案内路から球通路に案内されて順次排出される。この時、副球案内路から球通路に案内されたパチンコ球は球通路の途中部に落下するので、球通路にパチンコ球が滞留していた場合、副球案内路から落下したパチンコ球は滞留したパチンコ球に衝撃を与えるので、パチンコ球の滞留が解消される。
【特許文献１】実開平６−５６８６号公報
【発明の開示】
【発明が解決しようとする課題】
【０００７】
しかし、このアウト球計数装置は、パチンコ機のアウト球排出口の下方に設置されるため、その高さは、アウト球排出口が配置される高さに制限される。つまり、滞留を解消する衝撃力を得るのに必要な落下距離を確保できない。このため、副球案内路から落下したパチンコ球が衝突しても球詰まりが解消されない場合が発生する。
【０００８】
そして、球詰まりが解消されないと、アウト球計数装置にて、遊技機において打ち出されたパチンコ球数が計数されないため、ホール管理コンピュータが遊技機の稼働状況を管理できなくなるという問題があった。
【０００９】
本発明は、こうした問題に鑑みなされたものであり、球詰まりによってアウト球を計数できない事態が発生することを抑制するアウト球計数装置及び遊技機島を提供することを目的とする。
【課題を解決するための手段】
【００１０】
上記目的を達成するためになされた第１発明のアウト球計数装置は、アウト球を計数する計数手段と、遊技機から排出されるアウト球を受け入れる第１球容器と、第１球容器から溢れ出たアウト球を受け入れる第２球容器とを有するアウト球受入部と、第１球容器が受け入れたアウト球を計数手段へ供給する第１球通路と、第２球容器が受け入れたアウト球を計数手段へ供給する第２球通路と、を備えることを特徴とする。
【００１１】
このように構成されたアウト球計数装置によれば、遊技機から排出されて第１球容器が受け入れたアウト球は、第１球通路を介して計数手段へ供給されることにより、計数手段がアウト球を計数する。そして、第１球通路或いは第１球容器において球詰まりが発生して、第１球容器からアウト球が溢れ出ると、このアウト球は第２球容器に受け入れられる。その後、第２球容器が受け入れたアウト球は、第２球通路を介して計数手段へ供給される。
【００１２】
即ち、第１発明のアウト球計数装置では、第１球通路或いは第１球容器で球詰まりが発生した場合においてもアウト球を計数することができるため、球詰まりによってアウト球を計数できない事態が発生することを抑制することができる。
【００１３】
また、第１発明のアウト球計数装置では、アウト球受入部は、第２球容器も遊技機から排出されるアウト球を受け入れると共に、第２球容器から溢れ出たアウト球を第１球容器が受け入れる構造を有するようにしてもよい。
【００１４】
このように構成されたアウト球計数装置によれば、遊技機から排出されて第２球容器が受け入れたアウト球は、第２球通路を介して計数手段へ供給されることにより、計数手段がアウト球を計数する。そして、第２球通路或いは第２球容器において球詰まりが発生して、第２球容器からアウト球が溢れ出ると、このアウト球は第１球容器に受け入れられる。その後、第１球容器が受け入れたアウト球は、第１球通路を介して計数手段へ供給されることにより、計数手段がアウト球を計数する。即ち、遊技機から排出されるアウト球を、第１球容器または第２球容器何れか一方で、或いは第１球容器と第２球容器の両方で受け入れるようにすることができる。
【００１５】
ところで、アウト球受入部が、第１球容器から溢れ出たアウト球を第２球容器が受け入れるとともに、第２球容器から溢れ出たアウト球を第１球容器が受け入れる構造を有するようにするために、例えば、第１球容器と第２球容器との間でアウト球が通過可能に連結された通路を設けるようにしてもよい。
【００１６】
しかし、アウト球受入部を以下のように構成することで、第１球容器と第２球容器との間で連結された通路を新たに設けることなく、第１球容器と第２球容器との間で相互にアウト球を受け入れる構造を実現してもよい。
【００１７】
即ち、第１発明のアウト球計数装置では、アウト球受入部は、それぞれが対向して配置された矩形状の右側板と左側板と、右側板の一端縁と左側板の一端縁とを連結した矩形状の後側板とからなるコの字状の枠体と、右側板、左側板にそれぞれ右端縁、左端縁が固定されるとともに、後側板に後端縁が非接触となるように設置され、枠体の内側を仕切る矩形状の第１仕切板と、第１仕切板の下方において、右側板、左側板、後側板にそれぞれ右端縁、左端縁、後端縁が固定され、枠体の内側を仕切る矩形状の第２仕切板と、を備え、第１仕切板および第２仕切板は何れも、前端縁にアウト球が集まるように傾斜して配置され、第１仕切板および第２仕切板を各々の底板とする上下に区切られた二つの容器のうち、いずれか一方を第１球容器、他方を第２球容器とし、第１仕切板および第２仕切板のうち、第１球容器の底板となる仕切板の前端縁に第１球通路、第２球容器の底板となる仕切板の前端縁に第２球通路が設けられているようにするとよい。
【００１８】
このように構成されたアウト球計数装置によれば、遊技機から排出されて第１仕切板上に受け入れられたアウト球は、第１仕切板の前端縁に集まるように移動して第１球通路に供給される。そして、第１球通路或いは第１仕切板上において球詰まりが発生すると、遊技機から順次排出されるアウト球が第１仕切板上に滞留して、第１仕切板の後端縁から溢れ出る。その後、第１仕切板の後端縁から溢れ出たアウト球は第１仕切板の下方へ落下し、第１仕切板の下方に設置された第２仕切板上に受け入れられる。そして、第２仕切板上に受け入れられたアウト球は、第２仕切板の前端縁に集まるように移動して第２球通路に供給される。
【００１９】
或いは、遊技機から排出されて第２仕切板上に受け入れられたアウト球は、第２仕切板の前端縁に集まるように移動して第２球通路に供給される。そして、第２球通路或いは第２仕切板上において球詰まりが発生すると、遊技機から順次排出されるアウト球が第２仕切板上に滞留して、第１仕切板の後端縁と、右側板、左側板及び後側板とから構成される開口部から溢れ出る。その後、この開口部から溢れ出たアウト球は第１仕切板上に受け入れられ、更に第１仕切板の前端縁に集まるように移動して第１球通路に供給される。
【００２０】
即ち、上記開口部により、第１球容器から溢れ出たアウト球を第２球容器が受け入れるとともに、第２球容器から溢れ出たアウト球を第１球容器が受け入れる構造を形成している。つまり、第１球容器と第２球容器との間で相互にアウト球を受け入れる構造を、コの字状の枠体と、第１仕切板と、第２仕切板とにより簡便に形成することができる。
【００２１】
ところで、遊技機の前枠を開閉する際に、その時の振動によって、遊技機の貯留タンクに貯留されている遊技球が貯留タンクから落下して、アウト球計数装置に受け入れられてしまうことがある。このように、パチンコ機のアウト球排出口から排出されるアウト球以外にアウト球計数装置に受け入れられる遊技球は誤球と呼ばれ、アウト球を計数する際に計数精度を悪化させる要因となっている。
【００２２】
このような問題に対し、第１発明のアウト球計数装置によれば、第１仕切板の下方に第２仕切板が配置されている（即ち、第１球容器と第２球容器とは鉛直方向に重なって配置されている）ため、第１球容器と第２球容器が水平方向に並んで配置される場合に比べて、アウト球を受け入れる部分の開口部の面積を小さくすることができる。つまり、誤球の受入れを抑制することができる。このため、アウト球を計数する精度を向上させることができる。
【００２３】
また、第１発明のアウト球計数装置では、第１球通路は、少なくとも１箇所湾曲している湾曲通路部を備え、湾曲通路部の外周側を形成する外周壁には、アウト球の通過を阻止可能な貫通孔が形成されるようにするとよい。
【００２４】
このように構成されたアウト球計数装置によれば、第１球容器が受け入れたアウト球は、第１球通路内において、計数手段に供給されるまでの経路の途中で湾曲通路部を通過する。即ち、第１球通路内を移動するアウト球は、湾曲通路部の入り口部において、湾曲通路部の外周側に向かう方向へ進行する。
【００２５】
このため、第１球通路において、湾曲通路部の入り口部の手前で異物が混入した場合には、湾曲通路部の外周側に向かう方向へ進行するアウト球がこの異物に衝突する。そして、衝突するアウト球の力によって異物は徐々に湾曲通路部の外周側に向かって移動し、湾曲通路部の外周側に到達すると貫通孔を通して外部に排出される。即ち、球詰まり発生の原因となる異物が第１球通路に堆積することを抑制することができる。尚、貫通孔はアウト球の通過を阻止可能であるので、アウト球が外周側に到達しても、アウト球が外部に排出されることはない。また、湾曲通路部内で球詰まりが発生した場合には、貫通孔を介して、外部から球詰まりを解消することができる。
【００２６】
ところで、計数手段が、アウト球が通過する排出経路を備え、この排出経路を通過するアウト球を計数するように構成されている場合には、排出経路の入り口部でアウト球が詰まると、アウト球を計数することができなくなる。そこで、第１発明のアウト球計数装置では、第１球通路及び第２球通路は、排出経路の入り口部で合流するようにするとよい。
【００２７】
このように構成されたアウト球計数装置によれば、遊技機から排出されて第１球容器が受け入れたアウト球は、第１球通路を介して、排出経路の入り口部から排出経路へ供給されることにより、計数手段がアウト球を計数する。そして、排出経路の入り口部において球詰まりが発生して、第１球容器からアウト球が溢れ出ると、このアウト球は第２球容器に受け入れられる。その後、第２球容器が受け入れたアウト球は、第２球通路を介して排出経路の入り口部へ到達する。この時、排出経路の入り口部へ到達したアウト球は、入り口部で詰まっているアウト球と衝突する。即ち、この衝突により球詰まりが解消される場合がある。このため、球詰まりによってアウト球を計数できない事態が発生することを抑制することができる。
【００２８】
また、第１発明のアウト球計数装置では、遊技機から排出されたアウト球がアウト球受入部に受け入れられた時に、このアウト球がアウト球受入部を押圧する力により、アウト球計数装置が、遊技機が設置された遊技機島に対して揺動するように、アウト球計数装置を遊技機島に対して支持する揺動部材を備えるようにするとよい。
【００２９】
このように構成されたアウト球計数装置によれば、遊技機から排出されたアウト球がアウト球受入部に受け入れられた時に、アウト球計数装置が遊技機島に対して揺動する。即ち、この揺動により球詰まりが解消される場合がある。このため、球詰まりによってアウト球を計数できない事態が発生することを抑制することができる。尚、特許文献１に記載のアウト球計数装置では、副球案内路から落下したアウト球による衝撃によって、球通路での球詰まりを解消するものである。つまり、副球案内路から球通路までの距離の落下により生じるアウト球のエネルギーを利用している。これに対し、第１発明のアウト球計数装置では、遊技機から排出されて落下するアウト球のエネルギーを利用してアウト球計数装置を揺動させる。即ち、遊技機からアウト球計数装置までの落下距離は、特許文献１における副球案内路から球通路までの落下距離より長く、落下距離が長い分アウト球のエネルギーが大きいため、特許文献１に記載のアウト球計数装置よりも、球詰まりを解消し易い。
【００３０】
また、遊技機から排出されるアウト球を第１球容器及び第２球容器の何れにおいても受け入れ可能に構成されたアウト球計数装置を備える遊技機島において、遊技機から排出されたアウト球が第１球容器或いは第２球容器の何れか一方で受け入れられるように、アウト球計数装置が設置されるようにするとよい。
【００３１】
このように構成された遊技機島では、球詰まりが発生していない場合には、第１球通路或いは第２球通路の何れか一方にのみアウト球が通過する。このため、遊技機から排出されたアウト球を第１球容器で受け入れるようにした場合には、アウト球に付着する異物が第２球容器及び第２球通路に堆積することはない。同様に、遊技機から排出されたアウト球を第２球容器で受け入れるようにした場合には、異物が第１球容器及び第１球通路に堆積することはない。
【００３２】
即ち、第１球通路及び第２球通路の何れか一方を、球詰まり発生の原因となる異物が堆積していない状態にすることができる。つまり、第１球通路及び第２球通路の両方で球詰まりが発生するという事態を起こり難くすることができる。
【００３３】
次に、第２発明のアウト球計数装置は、遊技機から排出されるアウト球を計数する計数手段と、アウト球を受け入れる第１球容器と、第１球容器が受け入れたアウト球を計数手段へ供給する第１球通路とを備えるアウト球計数装置であって、第１球通路は、少なくとも１箇所湾曲している湾曲通路部を備え、湾曲通路部の外周側を形成する外周壁には、アウト球の通過を阻止可能な貫通孔が形成されることを特徴とする。
【００３４】
このように構成されたアウト球計数装置では、第１球容器が受け入れたアウト球は、第１球通路内において、計数手段に供給されるまでの経路の途中で湾曲通路部を通過する。そして、アウト球が計数手段へ供給されることにより、計数手段がアウト球を計数する。
即ち、第１球通路内を移動するアウト球は、湾曲通路部の入り口部において、湾曲通路部の外周側に向かう方向へ進行する。
【００３５】
このため、第１球通路において、湾曲通路部の入り口部の手前で異物が混入した場合には、湾曲通路部の外周側に向かう方向へ進行するアウト球がこの異物に衝突する。そして、衝突するアウト球の力によって異物は徐々に湾曲通路部の外周側に向かって移動し、湾曲通路部の外周側に到達すると貫通孔を通して外部に排出される。
【００３６】
即ち、球詰まり発生の原因となる異物が第１球通路に堆積することを抑制することができる。このため、球詰まりによってアウト球を計数できない事態が発生することを抑制することができる。尚、貫通孔はアウト球の通過を阻止可能であるので、アウト球が外周側に到達しても、アウト球が外部に排出されることはない。また、湾曲通路部内で球詰まりが発生した場合には、貫通孔を介して、外部から球詰まりを解消することができる。
【００３７】
次に、第３発明のアウト球計数装置は、遊技機から排出されるアウト球を計数する計数手段と、アウト球を受け入れる第１球容器と、第１球容器が受け入れたアウト球を計数手段へ供給する第１球通路とを備えるアウト球計数装置であって、遊技機から排出されたアウト球が第１球容器に受け入れられた時にアウト球が第１球容器を押圧する力により、アウト球計数装置が、遊技機が設置された遊技機島に対して揺動するように、アウト球計数装置を遊技機島に対して支持する揺動部材を備えることを特徴とする。
【００３８】
このように構成されたアウト球計数装置では、遊技機から排出されて第１球容器が受け入れたアウト球は、第１球通路を介して計数手段へ供給されることにより、計数手段がアウト球を計数する。さらに、遊技機から排出されたアウト球がアウト球受入部に受け入れられた時に、アウト球計数装置が遊技機島に対して揺動する。
【００３９】
即ち、第１球通路或いは第１球容器において球詰まりが発生した場合に、この揺動により球詰まりが解消される場合がある。このため、球詰まりによってアウト球を計数できない事態が発生することを抑制することができる。尚、上述したように、遊技機からアウト球計数装置までのアウト球の落下距離は、特許文献１における副球案内路から球通路までの落下距離より長く、落下距離が長い分アウト球のエネルギーが大きいため、特許文献１に記載のアウト球計数装置よりも、球詰まりを解消し易い。
【００４０】
次に、第４発明のアウト球計数装置は、遊技機から排出されるアウト球を計数するアウト球計数装置であって、前記アウト球を計数する計数手段と、遊技機から排出されるアウト球を受け入れる第１球容器と、第１球容器が受け入れたアウト球を計数手段へ供給する第１球通路と、第１球容器から溢れ出たアウト球を受け入れ、受け入れたアウト球を計数手段へ供給する第３球通路とを備えることを特徴とする。
【００４１】
このように構成されたアウト球計数装置によれば、遊技機から排出されて第１球容器が受け入れたアウト球は、第１球通路を介して計数手段へ供給されることにより、計数手段がアウト球を計数する。そして、第１球通路或いは第１球容器において球詰まりが発生して、第１球容器からアウト球が溢れ出ると、このアウト球は第３球通路に受け入れられる。その後、第３球通路が受け入れたアウト球は、第３球通路を介して計数手段へ供給される。
【００４２】
即ち、第４発明のアウト球計数装置では、第１発明のアウト球計数装置と同様に、第１球通路或いは第１球容器で球詰まりが発生した場合においてもアウト球を計数することができるため、球詰まりによってアウト球を計数できない事態が発生することを抑制することができる。
【発明を実施するための最良の形態】
【００４３】
（第１実施形態）
以下に、第１実施形態について図面を参照しながら説明する。
まず、本発明が適用されたアウト球計数装置１の構成を図１，図２及び図３に基づいて説明する。図１はアウト球計数装置１の斜視図、図２はアウト球計数装置１が遊技機島に設置された状態をしめす側面図、図３は図１のＡ−Ａ断面部を示す図である。
【００４４】
アウト球計数装置１は、図１に示すように、遊技機２００（図２参照）から排出されるアウト球を受け入れて計数する本体部１０と、遊技機が設置された遊技機島３００（図２参照）に対して本体部１０を支持する支持部６０とから構成される。
【００４５】
このうち、本体部１０は、遊技機２００から排出されるアウト球を受け入れる矩形状の第１球受け板１３と、第１球受け板１３が受け入れたアウト球を後述の湾曲通路２１へ導くための第１球通路１７と、第１球受け板１３から溢れたアウト球を受け入れる矩形状の第２球受け板１５と、第２球受け板１５が受け入れたアウト球を後述の計数器４０へ導くための第２球通路１９と、第１球通路１７を通過したアウト球を計数器４０へ導くための湾曲通路２１と、第１球受け板１３，第２球受け板１５，第１球通路１７，第２球通路１９及び湾曲通路２１を支持する矩形状の貯留枠１１と、貯留枠１１と支持部６０とを接続するための脚部２７，２９と、第１球受け板１３及び第２球受け板１５が受け入れたアウト球を計数する計数器４０とから構成される。
【００４６】
尚、貯留枠１１は、前側面板１１ａ，後側面板１１ｂ，左側面板１１ｃ及び右側面板１１ｄをそれぞれの端部で接合することによって枠形状に形成されている。
そして、第１球受け板１３は、その左端縁を左側面板１１ｃの内側に、右端縁を右側面板１１ｄの内側に固定されるとともに、アウト球が通過できる間隔を空けて後端縁が後側面板１１ｂに非接触となるようして、貯留枠１１の内部に配置される。尚、第１球受け板１３は、後側面板１１ｂから前側面板１１ａに向かうにつれて下方に傾斜するように配置される。
【００４７】
更に、第１球受け板１３の下方において、第２球受け板１５が、その左端縁を左側面板１１ｃの内側に、右端縁を右側面板１１ｄの内側に、後端縁を後側面板１１ｂの内側に固定されることにより、貯留枠１１の内部に配置される。尚、第２球受け板１５は、後側面板１１ｂから前側面板１１ａに向かうにつれて下方に傾斜するように配置される。
【００４８】
また、第１球通路１７は、第１球通路１７の底面を構成する第１球通路底面板１７ａと、第１球通路１７の側面をそれぞれ構成する第１球通路側面板１７ｂと前側面板１１ａとから構成される。即ち、第１球通路底面板１７ａは、第１球受け板１３の前端縁の下方において、左側面板１１ｃから右側面板１１ｄに向かうにつれて下方に傾斜するように、前側面板１１ａの内側に固定されて配置される。更に、第１球通路側面板１７ｂは、第１球受け板１３の前端縁と第１球通路底面板１７ａとを連結するようにして配置される。
【００４９】
また、第２球通路１９は、第２球通路１９の底面を構成する第２球通路底面板１９ａと、第２球通路１９の側面をそれぞれ構成する第２球通路側面板１９ｂと前側面板１１ａとから構成される。即ち、第２球通路底面板１９ａは、第２球受け板１５の前端縁の下方において、左側面板１１ｃから右側面板１１ｄに向かうにつれて下方に傾斜するように、前側面板１１ａの内側に固定されて配置される。更に、第２球通路側面板１９ｂは、第２球受け板１５の前端縁と第２球通路底面板１９ａとを連結するようにして配置される。
【００５０】
また、右側面板１１ｄには、第１球通路底面板１７ａが右側面板１１ｄと当接する位置に、アウト球が通過するための第１開口２３が形成される。同様に、第２球通路底面板１９ａが右側面板１１ｄと当接する位置に、アウト球が通過するための第２開口２５が形成される。
【００５１】
また、計数器４０には計数器４０の上部から下部に向けて貫通する計数器球通路４１が形成されており（図３参照）、計数器球通路４１の上部が、アウト球が通過するための入り口部となる。そして、計数器４０は、計数器球通路４１内を通過するアウト球を計数する。また、計数器４０は、第２開口２５から排出されて落下するアウト球を、計数器球通路４１の上部から取り込むことができるように、本体部１０の下方に配置される。
【００５２】
更に、右側面板１１ｄの外側表面には、第１開口２３と計数器球通路４１とを連通する湾曲通路２１が突設される。即ち、湾曲通路２１は、計数器球通路４１の入り口部で第２球通路１９と合流する。尚、湾曲通路２１の外周側を形成する外周壁２１ａには、湾曲通路２１内に混入した異物を外部に排出するための矩形状の貫通孔２１ｂが複数形成されており、この貫通孔２１ｂの短手方向の長さはアウト球の直径より短くなっている。
【００５３】
また、脚部２７，２９はそれぞれ、前側面板１１ａ，後側面板１１ｂの外側に固定される固定板２７ａ，２９ａと、取付台６３，６５（後述）が嵌入される嵌入溝２７ｃ，２９ｃが形成された嵌入板２７ｂ，２９ｂとを備えている。尚、嵌入溝２７ｃ，２９ｃの底部には、それぞれ板状の磁石２７ｄ，２９ｄが固定される。そして、固定板２７ａ，２９ａはそれぞれ嵌入板２７ｂ，２９ｂと略Ｌ字状に連結される。
【００５４】
次に、支持部６０は、遊技機島３００に固定される土台固定板６１と、脚部２７，２９にそれぞれ連結するための取付台６３，６５と、取付台６３，６５の上面にそれぞれ固定される板状の磁石６４，６６、取付台６３，６５それぞれを土台固定板６１に連結するコイルバネ６７，６９とから構成される。即ち、取付台６３，６５をそれぞれ嵌入溝２７ｃ，２９ｃに嵌入することにより、図２に示すように、磁石６４，６６がそれぞれ磁石２７ｄ，２９ｄと磁力により密着し、本体部１０はコイルバネ６７，６９を介して遊技機島３００に対して支持される。尚、図２に示す配置で、取付台６３，６５をそれぞれ嵌入溝２７ｃ，２９ｃに嵌入した際には、図２において、取付台６３の左端が嵌入溝２７ｃの左端と非接触となっており、同様に取付台６５の右端が嵌入溝２９ｃの右端と非接触となっている。即ち、取付台６３の左端が嵌入溝２７ｃの左端と接触するか、取付台６５の右端が嵌入溝２９ｃの右端と接触する範囲で、本体部１０を水平方向に移動可能となっており、この移動可能範囲内で、本体部１０の配置を調整することができる。
【００５５】
また、遊技機２００から排出されたアウト球が第１球受け板１３または第２球受け板１５上に落下した時に、このアウト球による衝撃力により、アウト球計数装置１が、遊技機２００が設置された遊技機島３００に対して揺動するように、コイルバネ６７，６９の強度が設定される。
【００５６】
このように構成された本実施形態のアウト球計数装置１では、遊技機２００から排出されて第１球受け板１３上に受け入れられたアウト球は、図３に示すように、第１球受け板１３の前端縁に集まるように移動して第１球通路１７に供給される。更に、アウト球は、第１球通路１７及び湾曲通路２１を介して、計数器球通路４１の上部（入り口部）に導かれ、計数器球通路４１内を通過する。その後、計数器球通路４１の下部から排出される。尚、上述したように、アウト球は、計数器球通路４１内を通過することによって、計数器４０により計数される。
【００５７】
そして、第１球通路１７或いは第１球受け板１３において球詰まりが発生すると、遊技機２００から順次排出されるアウト球が第１球受け板１３上に滞留して、第１球受け板１３の後端縁から溢れ出る。その溢れ出たアウト球は第１球受け板１３の下方へ落下し、第１球受け板１３の下方に設置された第２球受け板１５上に受け入れられる。そして、第２球受け板１５上に受け入れられたアウト球は、第２球受け板１５の前端縁に集まるように移動して第２球通路１９に供給される。更に、アウト球は、第２球通路１９を介して、計数器球通路４１の上部（入り口部）に導かれ、計数器球通路４１内を通過する。これによって、アウト球は計数器４０により計数される。その後、計数器球通路４１の下部から排出される。
【００５８】
或いは、遊技機２００から排出されて第２球受け板１５上に受け入れられたアウト球は、第２球受け板１５の前端縁に集まるように移動して第２球通路１９に供給される。その後、アウト球は、第２球通路１９を介して、計数器球通路４１の上部（入り口部）に導かれ、計数器４０により計数される。
【００５９】
そして、第２球通路１９或いは第２球受け板１５上において球詰まりが発生すると、遊技機２００から順次排出されるアウト球が第２球受け板１５上に滞留して、第１球受け板１３の後端縁と、右側面板１１ｄ，左側面板１１ｃ及び後側面板１１ｂとから構成される開口部から溢れ出る。その溢れ出たアウト球は第１球受け板１３上に受け入れられ、更に第１球受け板１３の前端縁に集まるように移動して第１球通路１７に供給される。そして、アウト球は、上述のように、第１球通路１７及び湾曲通路２１を介して計数器球通路４１の上部（入り口部）に導かれ、計数器４０により計数される。
【００６０】
即ち、アウト球計数装置１は、上述の開口部により、第１球受け板１３上から溢れ出たアウト球を第２球受け板１５が受け入れるとともに、第２球受け板１５上から溢れ出たアウト球を第１球受け板１３が受け入れる構造を形成している。
【００６１】
このため、第１球通路１７或いは第１球受け板１３において球詰まりが発生した場合、または、第２球通路１９或いは第２球受け板１５上において球詰まりが発生した場合においても、アウト球を計数することができるため、球詰まりによってアウト球を計数できない事態が発生することを抑制することができる。
【００６２】
また、本実施形態のアウト球計数装置１では、第１球受け板１３上から溢れ出たアウト球を第２球受け板１５が受け入れるとともに、第２球受け板１５上から溢れ出たアウト球を第１球受け板１３が受け入れる構造が、貯留枠１１と第１球受け板１３と第２球受け板１５とにより簡便に形成されている。
【００６３】
また、本実施形態のアウト球計数装置１では、第１球通路１７及び第２球通路１９は、計数器球通路４１の入り口部で合流する。このため、計数器球通路４１の入り口部において球詰まりが発生して、第１球受け板１３からアウト球が溢れ出た場合には、このアウト球は第２球受け板１５に受け入れられる。その後、第２球受け板１５が受け入れたアウト球は、第２球通路１９を介して計数器球通路４１の入り口部へ到達する。この時、計数器球通路４１の入り口部へ到達したアウト球は、入り口部で詰まっているアウト球と衝突する。即ち、この衝突により球詰まりが解消される場合がある。このため、球詰まりによってアウト球を計数できない事態が発生することを抑制することができる。
【００６４】
また、本実施形態のアウト球計数装置１では、第１球受け板１３に受け入れられたアウト球は湾曲通路２１を通過する。このため、第１球通路１７において、湾曲通路２１の入り口部の手前で異物が混入した場合には、湾曲通路２１の外周壁２１ａに向かう方向へ進行するアウト球がこの異物に衝突する。そして、衝突するアウト球の力によって異物は徐々に湾曲通路２１の外周壁２１ａに向かって移動し、外周壁２１ａに到達すると貫通孔２１ｂを通して外部に排出される。
【００６５】
即ち、球詰まり発生の原因となる異物が第１球通路１７に堆積することを抑制することができる。このため、球詰まりによってアウト球を計数できない事態が発生することを抑制することができる。尚、貫通孔２１ｂの短手方向の長さはアウト球の直径より短くなっているので、アウト球が外周壁２１ａに到達しても、湾曲通路２１の外部に排出されることはない。また、湾曲通路２１内で球詰まりが発生した場合には、貫通孔２１ｂを介して、外部から球詰まりを解消することができる。
【００６６】
尚、本実施形態のアウト球計数装置１では、上述のように、遊技機２００から排出された遊技球が、第１球受け板１３及び第２球受け板１５の何れに受け入れられるようにしてもよい。しかし、アウト球に付着するなどして第１球通路１７内に混入した異物は、アウト球が第１球通路１７及び湾曲通路２１内を通過することにより、貫通孔２１ｂから外部に排出される可能性があるのに対し、第２球通路１９内に混入した異物は外部に排出されない。このため、本実施形態のアウト球計数装置１では、遊技機２００から排出された遊技球を第１球受け板１３により受け入れるようにすることが望ましい。
【００６７】
また、本実施形態のアウト球計数装置１では、遊技機２００から排出されたアウト球が第１球受け板１３または第２球受け板１５上に落下した時に、このアウト球による衝撃力により、アウト球計数装置１が、遊技機島３００に対して揺動する。即ち、この揺動により球詰まりが解消される場合がある。このため、球詰まりによってアウト球を計数できない事態が発生することを抑制することができる。
【００６８】
以上説明した第１実施形態において、計数器４０は本発明における計数手段、第１球受け板１３，左側面板１１ｃ及び右側面板１１ｄで構成される容器は本発明における第１球容器、第２球受け板１５，後側面板１１ｂ，左側面板１１ｃ及び右側面板１１ｄで構成される容器は本発明における第２球容器、第１球受け板１３，第２球受け板１５，後側面板１１ｂ，左側面板１１ｃ及び右側面板１１ｄで構成される容器は本発明におけるアウト球受入部、第１球通路１７及び湾曲通路２１は本発明における第１球通路、第２球通路１９は本発明における第２球通路である。
【００６９】
また、右側面板１１ｄは本発明における右側板、左側面板１１ｃは本発明における左側板、後側面板１１ｂは本発明における後側板、貯留枠１１は本発明における枠体、第１球受け板１３は本発明における第１仕切板、第２球受け板１５は本発明における第２仕切板、湾曲通路２１は本発明における湾曲通路部、計数器球通路４１は本発明における排出経路、支持部６０と脚部２７，２９は本発明における揺動部材である。
【００７０】
（第２実施形態）
以下に第２実施形態について、図面を参照しながら説明する。
まず、本発明が適用されたアウト球計数装置１００の構成を図４に基づいて説明する。図４（ａ）はアウト球計数装置１００の斜視図、図４（ｂ）はアウト球計数装置１００の平面図である。
【００７１】
アウト球計数装置１００は、図４（ａ）に示すように、アウト球を計数する計数器１３０と、遊技機２００から排出されるアウト球を受け入れる球受け部１１０と、球受け部１１０が受け入れたアウト球を計数器１３０へ導くための球通路１２０とから構成される。
【００７２】
このうち、計数器１３０には計数器１３０の上部から下部に向けて貫通する計数器球通路１３１が形成されており、計数器１３０は、計数器球通路１３１を通過するアウト球を計数する。
【００７３】
また、球受け部１１０は、矩形状の第１球受け板１１１と第２球受け板１１３とから構成される。そして、球受け部１１０は、第１球受け板１１１と第２球受け板１１３とがそれぞれの一端縁（以降、接合端縁と称す）で接合されることによって、この接合された部分で屈曲した形状を形成する。即ち、第１球受け板１１１，第２球受け板１１３はそれぞれ、接合端縁を最上流として、接合端縁に対向するそれぞれの他端縁（以降、流出端縁と称す）に向かって下方に傾斜する斜面を形成する。尚、第１球受け板１１１及び第２球受け板１１３の表面において、接合端縁，流出端縁以外の端縁部には、この端縁部からアウト球が落下することを防止するための遮蔽板１１５が立設されている。
【００７４】
また、球通路１２０は、第１球受け板１１１が受け入れたアウト球を計数器１３０へ導くための第１球通路１２１と、第２球受け板１１３が受け入れたアウト球を計数器１３０へ導くための第２球通路１２３とから構成される。この第１球通路１２１，第２球通路１２３は、それぞれ第１球受け板１１１，第２球受け板１１３の流出端縁の下方に配置されており、それぞれの流出端縁から計数器球通路１３１の入り口部へ向かって下方に傾斜し、計数器球通路１３１の入り口部で合流する通路を形成している。
【００７５】
このように構成された本実施形態のアウト球計数装置１００では、遊技機２００から排出されて第１球受け板１１１上に受け入れられたアウト球は、第１球受け板１１１の流出端縁に集まるように移動して第１球通路１２１に供給される。更に、アウト球は、第１球通路１２１を介して、計数器球通路１３１の上部（入り口部）に導かれ、計数器球通路１３１内を通過する。これによって、アウト球は計数器１３０により計数される。その後、計数器球通路１３１の下部から排出される。
【００７６】
そして、第１球通路１２１或いは第１球受け板１１１において球詰まりが発生すると、遊技機２００から順次排出されるアウト球が第１球受け板１１１上に滞留して、第１球受け板１１１の接合端縁から溢れ出る。その溢れ出たアウト球は、第１球受け板１１１と接合端縁で接合された第２球受け板１１３上に受け入れられる。そして、第２球受け板１１３上に受け入れられたアウト球は、第２球受け板１１３の流出端縁に集まるように移動して第２球通路１２３に供給される。更に、アウト球は、第２球通路１２３を介して、計数器球通路１３１の上部（入り口部）に導かれ、計数器球通路１３１内を通過する。これによって、アウト球は計数器１３０により計数される。その後、計数器球通路１３１の下部から排出される。
【００７７】
また、遊技機２００から排出されたアウト球が第２球受け板１１３上に受け入れられる場合において、第２球通路１２３或いは第２球受け板１１３において球詰まりが発生すると、上記と同様に、溢れたアウト球は第１球受け板１１１に受け入れられて、アウト球が計数される。
【００７８】
即ち、アウト球計数装置１００は、第１球受け板１１１上から溢れ出たアウト球を第２球受け板１１３が受け入れるとともに、第２球受け板１１３上から溢れ出たアウト球を第１球受け板１１１が受け入れる構造を形成している。
【００７９】
このため、第１球通路１２１或いは第１球受け板１１１において球詰まりが発生した場合、または、第２球通路１２３或いは第２球受け板１１３上において球詰まりが発生した場合においても、アウト球を計数することができるため、球詰まりによってアウト球を計数できない事態が発生することを抑制することができる。
【００８０】
以上説明した第２実施形態において、第１球受け板１１１と遮蔽板１１５は本発明における第１球容器、第２球受け板１１３と遮蔽板１１５は本発明における第２球容器、第１球通路１２１は本発明における第１球通路、第２球通路１２３は本発明における第２球通路、計数器１３０は本発明における計数手段、計数器球通路１３１は本発明における排出経路である。
【００８１】
以上、本発明の一実施例について説明したが、本発明は上記実施例に限定されるものではなく、本発明の技術的範囲に属する限り種々の形態を採ることができる。
例えば、上記実施形態において、計数器４０を１つのみ備えたアウト球計数装置１を示したが、計数器４０を２つ備えるようにしてもよい。即ち、アウト球計数装置１において、第１球通路１７を通過するアウト球と、第２球通路１９を通過するアウト球とが、それぞれ別の計数器によって計数されるようにしてもよい。
【００８２】
また、上記実施形態においては、第１球通路１７を通過したアウト球を計数器４０へ導くための導入通路として、湾曲通路２１を備えている。しかし、この導入通路の形状は、湾曲に限定されない。即ち、導入通路内に混入した異物を貫通孔から排出するためには、第１球通路１７内を移動するアウト球が、導入通路の入り口部において、導入通路の外側壁（湾曲通路２１の外周壁に相当）に向かう方向へ進行するように外側壁が配置され、且つ外側壁の表面上にアウト球の通過を阻止可能な貫通孔が形成にされるとよいので、このような外側壁を備える導入通路であれば、どのような形状であってもよい。例えば、屈曲した形状の導入通路であってもよい。
【００８３】
また、上記実施形態においては、第１球通路１７と計数器４０とを連通するための湾曲通路２１を設けているが、更に、第２球通路１９と計数器４０とを連通する湾曲通路を設けたものであってもよい。
【００８４】
また、上記実施形態においては、コイルバネ６７，６９を、土台固定板６１と取付台６３，６５との間で連結するようにして取り付けたものを示したが、このコイルバネを、脚部２７，２９と取付台６３，６５との間で連結するように取り付けてもよい。或いは、コイルバネを、貯留枠１１と脚部２７，２９との間で連結するように取り付けてもよい。
【００８５】
また、上記実施形態においては、本発明が適用されたアウト球計数装置１の本体部１０に湾曲通路２１が取り付けられたものを示した。しかし、アウト球排出口から排出されたアウト球を受け入れる球受け板と、アウト球を計数する計数器と、球受け板で受け止めたアウト球を計数器まで導く球通路とから構成されたアウト球計数装置において、この球通路の経路上に湾曲通路２１を取り付けるようにしてもよい。
【００８６】
このように構成されたアウト球計数装置では、球受け板が受け入れたアウト球は、球通路内において、計数器に供給されるまでの経路の途中で湾曲通路２１を通過する。そして、アウト球が計数器へ供給されることにより、計数器がアウト球を計数する。
【００８７】
即ち、球通路内を移動するアウト球は、湾曲通路２１の入り口部において、湾曲通路の外周側に向かう方向へ進行する。このため、球通路において、湾曲通路２１の入り口部の手前で異物が混入した場合には、湾曲通路２１の外周側に向かう方向へ進行するアウト球がこの異物に衝突する。そして、衝突するアウト球の力によって異物は徐々に湾曲通路の外周側に向かって移動し、湾曲通路２１の外周側に到達すると貫通孔を通して外部に排出される。
【００８８】
即ち、球詰まり発生の原因となる異物が球通路に堆積することを抑制することができる。このため、球詰まりによってアウト球を計数できない事態が発生することを抑制することができる。
【００８９】
また、上記実施形態においては、アウト球排出口に対するアウト球計数装置１の配置を変えることにより、アウト球排出口から排出されたアウト球が、第１球受け板１３或いは第２球受け板１５の何れかに落下可能であるように構成されているが、図５（ａ）に示すように、第２球受け板１５内にアウト球を受け入れるための上記開口部の上方に、アウト球排出口から排出されるアウト球が第２球受け板１５上に直接落下することを防止するための遮蔽蓋８１を備えるようにしてもよい。このように構成することにより、アウト球排出口から排出されたアウト球を第１球受け板１３のみで受け入れるように構成することができる。また、誤球の受入れを抑制することができる。
【００９０】
また、上記実施形態においては、球受け部１１０は、矩形状の第１球受け板１１１と第２球受け板１１３とから構成されるものを示したが、図５（ｂ）に示すように、球受け部１１０は、第１球受け板１１１のみを備え、第１球受け板１１１上から溢れ出たアウト球を第２球通路１２３が受け入れるように構成してもよい。このように構成されたアウト球計数装置１００によれば、第１球通路１２１において球詰まりが発生した場合においても、アウト球を計数することができるため、球詰まりによってアウト球を計数できない事態が発生することを抑制することができる。尚、このように構成されたアウト球計数装置１００の第２球通路１２３は本発明の第３球通路である。
【００９１】
また、上記実施形態においては、本発明が適用されたアウト球計数装置１の本体部１０に支持部６０が取り付けられたものを示した。しかし、アウト球排出口から排出されたアウト球を受け入れる球受け板と、アウト球を計数する計数器と、球受け板で受け止めたアウト球を計数器まで導く球通路とから構成されたアウト球計数装置において、支持部６０を取り付けるようにしてもよい。
【００９２】
このように構成されたアウト球計数装置では、遊技機から排出されて球受け板が受け入れたアウト球は、球通路を介して計数器へ供給されることにより、計数器がアウト球を計数する。さらに、遊技機から排出されたアウト球が計数器に受け入れられた時に、アウト球計数装置が遊技機島に対して揺動する。
【００９３】
即ち、球通路或いは球受け板において球詰まりが発生した場合に、この揺動により球詰まりが解消される場合がある。このため、球詰まりによってアウト球を計数できない事態が発生することを抑制することができる。
【００９４】
尚、本発明が適用されたアウト球計数装置１，１００を備える遊技機島においては、遊技機から排出されたアウト球が第１球受け板或いは第２球受け板の何れか一方で受け入れられるようにアウト球計数装置１，１００を設置するとよい。
【００９５】
このように構成された遊技機島では、球詰まりが発生していない場合には、第１球通路或いは第２球通路の何れか一方にのみアウト球が通過する。このため、遊技機から排出されたアウト球を第１球受け板で受け入れるようにした場合には、アウト球に付着する異物が第２球受け板及び第２球通路に堆積することはない。同様に、遊技機から排出されたアウト球を第２球受け板で受け入れるようにした場合には、異物が第１球受け板及び第１球通路に堆積することはない。
【００９６】
即ち、第１球通路及び第２球通路の何れか一方を、球詰まり発生の原因となる異物が堆積していない状態にすることができる。つまり、第１球通路及び第２球通路の両方で球詰まりが発生するという事態を起こり難くすることができる。
【図面の簡単な説明】
【００９７】
【図１】アウト球計数装置１の斜視図。
【図２】アウト球計数装置１の側面図。
【図３】アウト球計数装置１の断面図。
【図４】アウト球計数装置１００の斜視図及び平面図。
【図５】アウト球計数装置１の側面図及びアウト球計数装置１００の平面図。
【符号の説明】
【００９８】
１，１００…アウト球計数装置、１０…本体部、１１…貯留枠、１１ａ…前側面板、１１ｂ…後側面板、１１ｃ…左側面板、１１ｄ…右側面板、１３，１１１…第１球受け板、１５，１１３…第２球受け板、１７，１２１…第１球通路、１７ａ…第１球通路底面板、１７ｂ…第１球通路側面板、１９，１２３…第２球通路、１９ａ…第２球通路底面板、１９ｂ…第２球通路側面板、２１…湾曲通路、２１ａ…外周壁、２１ｂ…貫通孔、２３…第１開口、２５…第２開口、２７，２９…脚部、２７ａ，２９ａ…固定板、２７ｂ，２９ｂ…嵌入板、２７ｃ，２９ｃ…嵌入溝、２７ｄ，２９ｄ，６４，６６…磁石、４０，１３０…計数器、４１，１３１…計数器球通路、６０…支持部、６１…土台固定板、６３，６５…取付台、６７，６９…コイルバネ、８１…遮蔽蓋、１１０…球受け部、１１５…遮蔽板、１２０…球通路、２００…遊技機、３００…遊技機島。
【図１】
2005224305.tif 000003
【図２】
2005224305.tif 000004
【図３】
2005224305.tif 000005
【図４】
2005224305.tif 000006
【図５】
2005224305.tif 000007